(57)【要約】【課題】耐潰れ性に優れ、先端部が湾曲し易いカテーテルを提供すること。【解決手段】カテーテルは、可撓性を有するカテーテル本体２と、このカテーテル本体２の基端に装着されたハブとを備えている。カテーテル本体２は、その主要部分が、内層４の外周に補強体層５を有し、さらにその外周に外層６を有する構造をなしている。主要部分２２の先端部は、それよりも基端側の部位である本体部２２２よりも容易に湾曲する湾曲容易部２２１を構成している。補強体層５の湾曲容易部２２１に対応する部位は、軸方向に沿って間欠的に設けられた複数の補強体部５１と、隣り合う２つの補強体部５１を互いに連結する連結部５２とを有している。補強体部５１は、網状の編組体で構成されている。【選択図】図４
2011072562.tif 000002
【特許請求の範囲】
【請求項１】
内層と、外層と、前記内層と前記外層との間に設けられた補強体層とを有し、可撓性を有するカテーテル本体を備え、
前記補強体層の少なくとも先端側の部位は、網状の編組体で構成され、前記カテーテル本体の軸方向に沿って間欠的に設けられた複数の補強体部と、隣り合う２つの前記補強体部を互いに連結する連結部とを有し、
これにより、前記カテーテル本体の先端部は、他の部位よりも容易に湾曲する湾曲容易部を構成し、該湾曲容易部は、前記連結部が節となって湾曲するよう構成されていることを特徴とするカテーテル。
【請求項２】
前記連結部は、直線状の線状体、環状の線状体および前記カテーテル本体の周方向に沿って巻かれた螺旋状の線状体のうちの少なくとも１つを有する請求項１に記載のカテーテル。
【請求項３】
複数の前記連結部は、その曲げ剛性が互いに異なる第１の連結体と第２の連結体とを含む請求項１または２に記載のカテーテル。
【請求項４】
前記第１の連結体と前記第２の連結体とは、前記軸方向に沿って交互に配置されている請求項３に記載のカテーテル。
【請求項５】
前記第１の連結体は、前記カテーテル本体の周方向に沿って並設された複数の線状体を有し、
前記第２の連結体は、前記カテーテル本体の周方向に沿って並設され、前記第１の連結体の前記線状体よりも多い数の線状体を有する請求項３または４に記載のカテーテル。
【請求項６】
前記連結部は、金属材料で構成されている請求項１ないし５のいずれかに記載のカテーテル。
【請求項７】
前記カテーテル本体を湾曲させたときの前記湾曲容易部の曲率半径の最小値は、２ｍｍ以下である請求項１ないし６のいずれかに記載のカテーテル。
【請求項８】
前記湾曲容易部は、曲がり易さの方向について異方向性を有する請求項１ないし７のいずれかに記載のカテーテル。
【請求項９】
前記湾曲容易部は、曲がり易さの方向について等方向性を有する請求項１ないし７のいずれかに記載のカテーテル。
【請求項１０】
前記補強体層は、全体形状が管状をなす網状の編組体を複数に切断して得られた複数の前記補強体部における隣り合う２つの該補強体部を前記連結部で互いに連結したものである請求項１ないし９のいずれかに記載のカテーテル。
【発明の詳細な説明】
【技術分野】
【０００１】
本発明は、カテーテルに関するものである。
【背景技術】
【０００２】
近年、外科的侵襲が非常に少ないという理由から、カテーテルを用いた血管病変の治療が盛んに行われている。
【０００３】
このような手技においては、カテーテルを細く複雑なパターンの血管系に迅速かつ確実な選択性をもって挿入し得るような優れた操作性が要求される。
【０００４】
また、カテーテル挿入部位の選択の幅を広げること、患者の負担軽減、挿入操作等の容易性向上の観点から、カテーテルの細径化を図ること、特に、一定の内径を確保しつつ外径をできるだけ小さくすることが要求される。
【０００５】
前記操作性について詳述すると、血管内を前進させるために術者の押し込む力がカテーテルの基端側から先端側に確実に伝達され得るいわゆる押し込み性（プッシャビリティー）と、カテーテルの基端側にて加えられた回転力が先端側に確実に伝達され得るトルク伝達性と、曲がった血管内を先行するガイドワイヤーに沿って円滑かつ確実に進み得る追随性（以下「追従性」と言う）と、目的部位までカテーテル先端が到達し、ガイドワイヤーを引き抜いた後でも、血管の湾曲、屈曲した部位でカテーテルに折れ曲がりが生じない耐キンク性とが必要とされる。また、カテーテルの先端で血管内壁を損傷したりすることがないような安全性も要求される。
【０００６】
このようなカテーテルのカテーテル本体は、内層と、外層と、この内層と外層との間に設けられた補強体層とを有しており、補強体層は、網状の編組体で構成されている（例えば、特許文献１参照）。
【０００７】
カテーテル本体の補強体層が網状の編組体で構成されている場合は、その補強体層が螺旋状の線状体で構成されている場合に比べて、カテーテル本体の強度が高く、潰れ難いという利点を有する。
【０００８】
しかしながら、反面、カテーテル本体の先端部が湾曲し難く、追従性が悪いという欠点がある。
【先行技術文献】
【特許文献】
【０００９】
【特許文献１】特開平６−１３４０３４号公報
【発明の概要】
【発明が解決しようとする課題】
【００１０】
本発明の目的は、耐潰れ性に優れ、先端部が湾曲し易いカテーテルを提供することにある。
【課題を解決するための手段】
【００１１】
このような目的は、下記（１）〜（１０）の本発明により達成される。
（１）  内層と、外層と、前記内層と前記外層との間に設けられた補強体層とを有し、可撓性を有するカテーテル本体を備え、
前記補強体層の少なくとも先端側の部位は、網状の編組体で構成され、前記カテーテル本体の軸方向に沿って間欠的に設けられた複数の補強体部と、隣り合う２つの前記補強体部を互いに連結する連結部とを有し、
これにより、前記カテーテル本体の先端部は、他の部位よりも容易に湾曲する湾曲容易部を構成し、該湾曲容易部は、前記連結部が節となって湾曲するよう構成されていることを特徴とするカテーテル。
【００１２】
（２）  前記連結部は、直線状の線状体、環状の線状体および前記カテーテル本体の周方向に沿って巻かれた螺旋状の線状体のうちの少なくとも１つを有する上記（１）に記載のカテーテル。
【００１３】
（３）  複数の前記連結部は、その曲げ剛性が互いに異なる第１の連結体と第２の連結体とを含む上記（１）または（２）に記載のカテーテル。
【００１４】
（４）  前記第１の連結体と前記第２の連結体とは、前記軸方向に沿って交互に配置されている上記（３）に記載のカテーテル。
【００１５】
（５）  前記第１の連結体は、前記カテーテル本体の周方向に沿って並設された複数の線状体を有し、
前記第２の連結体は、前記カテーテル本体の周方向に沿って並設され、前記第１の連結体の前記線状体よりも多い数の線状体を有する上記（３）または（４）に記載のカテーテル。
【００１６】
（６）  前記連結部は、金属材料で構成されている上記（１）ないし（５）のいずれかに記載のカテーテル。
【００１７】
（７）  前記カテーテル本体を湾曲させたときの前記湾曲容易部の曲率半径の最小値は、２ｍｍ以下である上記（１）ないし（６）のいずれかに記載のカテーテル。
【００１８】
（８）  前記湾曲容易部は、曲がり易さの方向について異方向性を有する上記（１）ないし（７）のいずれかに記載のカテーテル。
【００１９】
（９）  前記湾曲容易部は、曲がり易さの方向について等方向性を有する上記（１）ないし（７）のいずれかに記載のカテーテル。
【００２０】
（１０）  前記補強体層は、全体形状が管状をなす網状の編組体を複数に切断して得られた複数の前記補強体部における隣り合う２つの該補強体部を前記連結部で互いに連結したものである上記（１）ないし（９）のいずれかに記載のカテーテル。
【発明の効果】
【００２１】
本発明によれば、カテーテル本体は、網状の編組体を有する補強体層を備えているので、耐潰れ性に優れる。そして、カテーテル本体の湾曲容易部は、湾曲する際、補強体層の連結部が節となり、これにより、容易に湾曲することができる。これによって、耐潰れ性および追従性に優れたカテーテルを提供することができる。
【図面の簡単な説明】
【００２２】
【図１】本発明のカテーテルを血管カテーテルに適用した場合の第１実施形態における全体構成例を示す平面図である。
【図２】図１に示すカテーテルの内部構造を示す一部切り欠き断面図である。
【図３】図１に示すカテーテルにおいて先端側の部位の補強体層が見えるように外層の図示を一部省略した斜視図である。
【図４】図１に示すカテーテルの補強体層の構成を示す側面図である。
【図５】図１に示すカテーテルの補強体層の他の構成を示す側面図である。
【図６】本発明のカテーテルの第２実施形態における補強体層の構成を示す側面図である。
【図７】本発明のカテーテルの第３実施形態における補強体層の構成を示す側面図である。
【図８】本発明のカテーテルの第４実施形態における補強体層の構成を示す側面図である。
【図９】本発明のカテーテルの第５実施形態における補強体層の構成を示す側面図である。
【図１０】本発明のカテーテルの第６実施形態における補強体層の構成を示す側面図である。
【図１１】本発明のカテーテルの第７実施形態における補強体層の構成を示す側面図である。
【発明を実施するための形態】
【００２３】
以下、本発明のカテーテルを添付図面に示す好適な実施形態に基づいて詳細に説明する。
【００２４】
＜第１実施形態＞
図１は、本発明のカテーテルを血管カテーテルに適用した場合の第１実施形態における全体構成例を示す平面図、図２は、図１に示すカテーテルの内部構造を示す一部切り欠き断面図、図３は、図１に示すカテーテルにおいて先端側の部位の補強体層が見えるように外層の図示を一部省略した斜視図、図４は、図１に示すカテーテルの補強体層の構成を示す側面図、図５は、図１に示すカテーテルの補強体層の他の構成を示す側面図である。
【００２５】
なお、以下では、図１〜図５中の左側を「先端」、右側を「基端（後端）」、上側を「上」、下側を「下」として説明を行う。
【００２６】
また、図３では、図が複雑になるのを避けるため、連結部の図示を省略する。
これらの図に示すように、カテーテル１は、可撓性（柔軟性）を有するカテーテル本体２と、このカテーテル本体２の基端２１に装着されたハブ７とを備えている。
【００２７】
カテーテル本体２は、その基端２１から先端にかけて内部にルーメン（内腔）３が形成されている。カテーテル１の血管（生体管腔）への挿入時には、ルーメン３内にガイドワイヤーが挿通される。また、ルーメン３は、薬液等の通路として用いることもできる。
【００２８】
ハブ７は、ルーメン３内への前記ガイドワイヤーの挿入口、ルーメン３内への薬液等の注入口等として機能し、また、カテーテル１を操作する際の把持部としても機能する。
【００２９】
図２および図３に示すように、カテーテル本体２は、その主要部分２２が、内層４の外周に補強体層５を有し、さらにその外周に外層６を有する構造をなしている。また、カテーテル本体２の前記主要部分２２の先端側に続く最先端部２３は、補強体層５を有さず、内層４と外層６とで構成されている。また、内層４および外層６は、それぞれ、可撓性（柔軟性）を有する材料で構成されている。
【００３０】
内層４および外層６の構成材料としては、それぞれ、例えば、ポリプロピレン、ポリエチレン、エチレン−酢酸ビニル共重合体等のポリオレフィン、ポリアミド、ポリエチレンテレフタレート、ポリブチレンテレフタレート等のポリエステル、ポリウレタン、ポリ塩化ビニル、ポリスチレン系樹脂、エチレン−テトラフルオロエチレン共重合体等のフッ素系樹脂、ポリイミド等各種可撓性を有する樹脂や、ポリアミドエラストマー、ポリエステルエラストマー、ポリウレタンエラストマー、ポリスチレンエラストマー、フッ素系エラストマー、シリコーンゴム、ラテックスゴム等の各種エラストマー、またはこれらのうちの２以上を組み合わせたものが使用可能である。
【００３１】
ここで、ポリアミドエラストマーとは、例えば、ナイロン６、ナイロン６４、ナイロン６６、ナイロン６１０、ナイロン６１２、ナイロン４６、ナイロン９、ナイロン１１、ナイロン１２、Ｎ−アルコキシメチル変性ナイロン、ヘキサメチレンジアミン−イソフタル酸縮重合体、メタキシロイルジアミン−アジピン酸縮重合体のような各種脂肪族または芳香族ポリアミドをハードセグメントとし、ポリエステル、ポリエーテル等のポリマーをソフトセグメントとするブロック共重合体が代表的であり、その他、前記ポリアミドと柔軟性に富む樹脂とのポリマーアロイ（ポリマーブレンド、グラフト重合、ランダム重合等）や、前記ポリアミドを可塑剤等で軟質化したもの、さらには、これらの混合物をも含む概念である。
【００３２】
また、ポリエステルエラストマーとは、ポリエチレンテレフタレート、ポリブチレンテレフタレート等の飽和ポリエステルと、ポリエーテルまたはポリエステルとのブロック共重合体が代表的であり、その他、これらのポリマーアロイや前記飽和ポリエステルを可塑剤等で軟質化したもの、さらには、これらの混合物をも含む概念である。内層４の構成材料と外層６の構成材料とは、同一でもよく、また、異なっていてもよい。
【００３３】
なお、内層４および外層６に同一の構成材料を用いる場合、その材料は、比較的柔軟な材料であるのが好ましい。また、内層４と外層６の構成材料が異なる場合でも、外層６側が生体に接触することおよび通常、外層６の方がカテーテル本体２の剛性を左右する断面２次モーメントが大きいこと等を考慮して、内層４に比べ外層６をより柔軟な材料で構成するのが好ましい。
【００３４】
内層４の厚さとしては、特に限定されないが、５０μｍ以下であるのが好ましく、４０μｍ以下であるのがより好ましい。
【００３５】
また、外層６の厚さとしては、特に限定されないが、０．０５〜０．１５ｍｍ程度であるのが好ましく、０．０６〜０．１２ｍｍ程度であるのがより好ましい。
【００３６】
また、外層６に用いられる材料の硬度は、特に限定されないが、ショアＤ硬度が２０〜８０程度であることが好ましい。
【００３７】
また、使用時にＸ線透視下でカテーテル本体２の位置を視認できるように、内層４または外層６の構成材料中に、例えば、白金、金、銀、タングステンまたはこれらの合金による金属粉末、硫酸バリウム、酸化ビスマスまたはそれらのカップリング化合物のようなＸ線造影剤を混練しておいてもよい。
【００３８】
なお、図示の構成では、内層４および外層６の内径および外径は、それぞれ一定となっているが、これらは、それぞれカテーテル本体２の長手方向に沿って変化してもよい。例えば、所定の領域において、内層４または外層６の外径がカテーテル本体２の先端方向（以下、先端方向という）に向かって漸減したり、内層４の内径が先端方向に向かって漸増したりする構成であってもよい。これにより、内層４または外層６の厚さが先端方向に向かって徐々に薄くなり、カテーテル本体２の剛性も連続的に減少する。
【００３９】
カテーテル本体２の主要部分２２の先端部は、それよりも基端側の部位（他の部位）である本体部２２２よりも容易に湾曲する湾曲容易部２２１を構成している。
【００４０】
補強体層５の先端側の部位、すなわち、補強体層５の湾曲容易部２２１に対応する部位は、カテーテル本体２の軸方向（長手方向）沿って交互に設けられた補強体部５１と連結部５２とをそれぞれ複数ずつ有している。以下では、カテーテル本体２の軸方向を、単に「軸方向」とも言う。
【００４１】
すなわち、補強体層５の湾曲容易部２２１に対応する部位は、軸方向に沿って間欠的に設けられた複数の補強体部５１と、隣り合う２つの補強体部５１を互いに連結する連結部５２とを有している。隣り合う２つの補強体部５１同士は、直接は接続されておらず、連結部５２により接続されている。これにより、カテーテル本体２の湾曲容易部２２１は、連結部５２が節となって湾曲する。
【００４２】
補強体部５１は、線状体５３を交差させて網状（格子状）に編んだもの（形成したもの）、すなわち、網状の編組体で構成されている。線状体５３としては、例えば、その横断面形状が円形のものや、横断面形状が偏平形状のもの、すなわちリボン状（帯状）のもの等が挙げられる。
【００４３】
線状体５３は、その横断面形状が円形のものである場合、直径が０．０１〜０．０７ｍｍ程度のものが好ましく、０．０３〜０．０５ｍｍ程度のものがより好ましい。
【００４４】
また、線状体５３が、リボン状のものである場合、幅が０．０１〜１．０ｍｍ程度、厚さが０．００５〜０．５ｍｍ程度のものが好ましい。
【００４５】
補強体部５１を構成する線状体５３の構成材料としては、十分な補強効果が得られる程度の剛性を有するものであれば、特に限定されないが、例えば、ステンレス鋼、銅、タングステン、ニッケル、チタン、ピアノ線、Ｎｉ−Ｔｉ合金、Ｎｉ−Ｔｉ−Ｃｏ合金、Ｎｉ−Ａｌ合金、Ｃｕ−Ｚｎ合金、Ｃｕ−Ｚｎ−Ｘ合金（例えば、Ｘ＝Ｂｅ、Ｓｉ、Ｓｎ、Ａｌ、Ｇａ）のような超弾性合金、アモルファス合金等の各種金属材料や、例えば、ポリエチレンテレフタレート（ＰＥＴ）、ポリブチレンテレフタレート（ＰＢＴ）のようなポリエステル、ポリエチレン、ポリプロピレンのようなポリオレフィン、硬質ポリ塩化ビニル、ポリアミド、ポリイミド、ポリスチレン、熱可塑性ポリウレタン、ポリカーボネート、アクリロニトリル−ブタジエン−スチレン共重合体（ＡＢＳ樹脂）、アクリル樹脂、ポリメチルメタクリレート（ＰＭＭＡ）、ポリアセタール（ＰＡ）、ポリアリレート、ポリオキシメチレン（ＰＯＭ）、高張力ポリビニルアルコール、フッ素樹脂、ポリフッ化ビニリデン（ＰＶｄＦ）、ポリテトラフルオロエチレン、エチレン−酢酸ビニルケン化物（ＥＶＯＨ）、ポリスルホン、ポリエーテルスルホン、ポリエーテルケトン、ポリフェニレンオキサイド、ポリフェニレンスルフィド、これらのうちのいずれかを含むポリマーアロイ、カーボンファイバー、グラスファイバーあるいはこれらのうちの２以上を組み合わせたもの等が挙げられる。
【００４６】
これらのうちでは、より大きな補強効果が得られる等の理由から、金属材料が好ましい。
【００４７】
なお、線状体５３は、前記の構成材料等による単繊維または繊維の集合体（例えば単繊維を縒ったもの）のいずれでもよい。また、線状体５３は、単一で用いても、複数本を束ねた状態で用いてもよい。
【００４８】
連結部５２は、複数の直線状の線状体５４で構成されている。この線状体５４としては、前記補強体部５１の線状体５３と同様のものを用いることができる。なお、連結部５２の線状体５４と補強体部５１の線状体５３との構成材料、寸法、形状等の諸条件は、それぞれ、同一でもよく、また、異なっていてもよい。
【００４９】
連結部５２の線状体５４の数は、特に限定されず、諸条件に応じて適宜決定されるが、１〜２０程度が好ましく、３〜１０程度がより好ましい。これにより、十分なトルク伝達性を確保しつつ、容易に湾曲することができる。
【００５０】
図示の構成では、連結部５２は、カテーテル本体２の周方向に沿って並設された１０本の線状体５４で構成されている。各線状体５４は、等角度間隔で、互いに平行に、かつ、カテーテル本体２の軸に対して平行に配置されている。この構成では、湾曲容易部２２１は、曲がり易さの方向について等方向性を有する。
【００５１】
また、補強体部５１の編目（格子）は、四角形をなし、その２つの対角線の一方が上下方向に向き、他方が軸方向に向くように配置されており、その網目の頂点と線状体５４の端部とが、例えば、融着等により接合（接続）されている。なお、線状体５４の先端側の補強体部５１は、網目の基端方向に突出する頂点において接合され、基端側の補強体部５１は、網目の先端方向に突出する頂点において接合されている。
【００５２】
なお、本実施形態では、各線状体５４は、均等に配置されているが、これに限らず、偏って配置されていてもよく、この場合は、湾曲容易部２２１は、曲がり易さの方向について異方向性を有する。
【００５３】
また、本実施形態では、線状体５４の数は、複数であるが、これに限らず、図５に示すように、１つでもよい。この構成では、湾曲容易部２２１は、曲がり易さの方向について異方向性を有する。
【００５４】
補強体層５の本体部２２２に対応する部位は、前記補強体部５１と同様に、網状の編組体で構成されている。なお、この説明は、重複するので省略する。
【００５５】
ここで、湾曲容易部２２１の軸方向の長さ、すなわち、補強体層５における補強体部５１と連結部５２とで構成された部位の軸方向の長さは、特に限定されず、諸条件に応じて適宜決定されるが、１〜２０ｍｍ程度が好ましく、４〜１０ｍｍ程度がより好ましい。
【００５６】
また、補強体部５１の軸方向の長さをａ、連結部５２の軸方向の長さをｂとしたとき、ａ／ｂは、特に限定されず、諸条件に応じて適宜決定されるが、１〜１０程度が好ましく、４〜８程度がより好ましい。
【００５７】
また、補強体部５１の長さａは、特に限定されず、諸条件に応じて適宜決定されるが、０．５〜１０ｍｍ程度が好ましく、２〜５ｍｍ程度がより好ましい。
【００５８】
また、連結部５２の長さｂは、特に限定されず、諸条件に応じて適宜決定されるが、０．５〜１０ｍｍ程度が好ましく、１〜５ｍｍ程度がより好ましく、２〜４ｍｍ程度がさらに好ましい。
【００５９】
また、補強体部５１および連結部５２の数は、それぞれ、特に限定されず、諸条件に応じて適宜決定されるが、２〜２０個程度が好ましく、３〜１０個程度がより好ましい。
【００６０】
また、カテーテル本体２を湾曲させたときの湾曲容易部２２１の曲率半径の最小値は、２ｍｍ以下であることが好ましく、０．５〜１．０ｍｍ程度であることがより好ましい。これにより、優れた追従性を発揮する。
【００６１】
このような補強体層５は、例えば、次のようにして形成することができる。まず、線状体５３を用いて、全体形状が管状をなす網状の編組体を形成する。次に、その編組体を軸方向に沿って複数に切断し、複数の補強体部５１を得る。そして、得られた複数の補強体部５１における隣り合う２つの補強体部５１を複数の線状体５４で互いに連結する。
【００６２】
なお、カテーテル本体２の外表面は、親水性（または水溶性）高分子物質で覆われている（図示せず）ことが好ましい。これにより、カテーテル本体２の外表面が血液または生理食塩水等に接触したときに、摩擦係数が減少して潤滑性が付与され、カテーテル本体２の摺動性が一段と向上し、その結果、押し込み性、追随性、耐キンク性および安全性が一段と高まる。
【００６３】
親水性高分子物質としては、以下のような天然または合成の高分子物質、あるいはその誘導体が挙げられる。特に、セルロース系高分子物質（例えば、ヒドロキシプロピルセルロース）、ポリエチレンオキサイド系高分子物質（ポリエチレングリコール）、無水マレイン酸系高分子物質（例えば、メチルビニルエーテル無水マレイン酸共重合体のような無水マレイン酸共重合体）、アクリルアミド系高分子物質（例えば、ポリアクリルアミド）、水溶性ナイロン（例えば、東レ社製のＡＱ−ナイロン Ｐ−７０）は、低い摩擦係数が安定的に得られるので好ましい。
【００６４】
また、上記高分子物質の誘導体としては、水溶性のものに限定されず、上記水溶性高分子物質を基本構成としていれば、特に制限はなく、不溶化されたものであっても、分子鎖に自由度があり、かつ含水するものであればよい。
【００６５】
このような、親水性高分子物質の被覆層をカテーテル本体２の外表面に固定するには、外層６中もしくは外層６の表面に存在または導入された反応性官能基と共有結合させることにより行うのが好ましい。これにより、持続的な潤滑性表面を得ることができる。
【００６６】
外層６中または表面に存在しまたは導入される反応性官能基は、前記高分子物質と反応し、結合ないし架橋して固定するものであればいかなるものでもよく、ジアゾニウム基、アジド基、イソシアネート基、酸クロリド基、酸無水物基、イミノ炭酸エステル基、アミノ基、カルボキシル基、エポキシ基、水酸基、アルデヒド基等が挙げられ、特にイソシアネート基、アミノ基、アルデヒド基、エポキシ基が好適である。
【００６７】
以上説明したように、このカテーテル１によれば、そのカテーテル本体２は、網状の編組体を有する補強体層５を備えているので、優れた押し込み性、トルク伝達性および耐キンク性等の優れた操作性を有し、特に、補強体層が螺旋状の線状体で構成されている場合に比べて、耐潰れ性に優れる。
【００６８】
そして、カテーテル本体２の湾曲容易部２２１は、湾曲する際、連結部５２が節となって湾曲するので、容易に湾曲することができ、優れた追従性を発揮する。
【００６９】
なお、補強体層が網状の編組体を複数に切断しただけのもので構成されている場合は、軸方向の強度が低く、このため、カテーテル本体が何かに引っ掛かったときにそのカテーテル本体を引っ張ると、切れてしまう虞があるが、このカテーテル１では、連結部５２により隣り合う２つの補強体部５１が連結されているので、カテーテル本体２の軸方向の強度が高く、これにより、前記のようにカテーテル本体２が切れてしまうことを防止することができる。
【００７０】
＜第２実施形態＞
図６は、本発明のカテーテルの第２実施形態における補強体層の構成を示す側面図である。なお、以下では、図６中の左側を「先端」、右側を「基端（後端）」、上側を「上」、下側を「下」として説明を行う。
【００７１】
以下、第２実施形態について、前述した第１実施形態との相違点を中心に説明し、同様の事項については、その説明を省略する。
【００７２】
図６に示すように、第２実施形態のカテーテル１では、連結部５２の各線状体５４は、カテーテル本体２の軸に対して所定角度傾斜するように（非平行）に配置されている。これにより、例えば、ハブ７を回転させた際、カテーテル本体２が捩れ、カテーテル本体２の捻りを直接的に最先端部２３に伝えることができ、最先端部２３を使用者が向けたい方向に向けることができる。これにより、カテーテル１の操作性が向上する。
このカテーテル１によれば、前述した第１実施形態と同様の効果が得られる。
【００７３】
＜第３実施形態＞
図７は、本発明のカテーテルの第３実施形態における補強体層の構成を示す側面図である。なお、以下では、図７中の左側を「先端」、右側を「基端（後端）」、上側を「上」、下側を「下」として説明を行う。
【００７４】
以下、第３実施形態について、前述した第１実施形態との相違点を中心に説明し、同様の事項については、その説明を省略する。
【００７５】
図７に示すように、第３実施形態のカテーテル１では、連結部５２は、複数の環状の線状体５５で構成されている。各線状体５５は、それぞれ、隣り合う２つの補強体部５１のそれぞれの網目に掛け回されている。線状体５５を環状にすることで連結部５２が補強されるため、カテーテル本体２の破断等の損傷を抑制することができる。
このカテーテル１によれば、前述した第１実施形態と同様の効果が得られる。
【００７６】
＜第４実施形態＞
図８は、本発明のカテーテルの第４実施形態における補強体層の構成を示す側面図である。なお、以下では、図８中の左側を「先端」、右側を「基端（後端）」、上側を「上」、下側を「下」として説明を行う。
【００７７】
以下、第４実施形態について、前述した第１実施形態との相違点を中心に説明し、同様の事項については、その説明を省略する。
【００７８】
図８に示すように、第４実施形態のカテーテル１では、連結部５２は、螺旋状の線状体５６で構成されている。線状体５６は、カテーテル本体２の周方向に沿って巻かれている。
【００７９】
この線状体５６の巻きのピッチは、特に限定されず、諸条件に応じて適宜決定されるが、０．０５〜２．０ｍｍ程度が好ましく、０．１〜１．０ｍｍ程度より好ましく、また、線状体５６の巻き数は、特に限定されず、諸条件に応じて適宜決定されるが、３〜２０程度が好ましく、５〜１０程度より好ましい。これにより、十分なトルク伝達性を確保しつつ、容易に湾曲することができる。
このカテーテル１によれば、前述した第１実施形態と同様の効果が得られる。
【００８０】
＜第５実施形態＞
図９は、本発明のカテーテルの第５実施形態における補強体層の構成を示す側面図である。なお、以下では、図９中の左側を「先端」、右側を「基端（後端）」、上側を「上」、下側を「下」として説明を行う。
【００８１】
以下、第５実施形態について、前述した第１、第４実施形態との相違点を中心に説明し、同様の事項については、その説明を省略する。
【００８２】
図９に示すように、第５実施形態のカテーテル１では、連結部５２は、複数の直線状の線状体５４と、螺旋状の線状体５６とで構成されている。すなわち、隣り合う２つの補強体部５１の間に、線状体５６が配置されており、線状体５６の先端部と先端側の補強体部５１の基端部とが、複数の線状体５４で連結され、同様に、線状体５６の基端部と基端側の補強体部５１の先端部とが、複数の線状体５４で連結されている。
このカテーテル１によれば、前述した第１実施形態と同様の効果が得られる。
【００８３】
＜第６実施形態＞
図１０は、本発明のカテーテルの第６実施形態における補強体層の構成を示す側面図である。なお、以下では、図１０中の左側を「先端」、右側を「基端（後端）」、上側を「上」、下側を「下」として説明を行う。
【００８４】
以下、第６実施形態について、前述した第５実施形態との相違点を中心に説明し、同様の事項については、その説明を省略する。
【００８５】
図１０に示すように、第６実施形態のカテーテル１では、連結部５２は、複数の直線状の線状体５４と、網状の編組体５７とで構成されている。すなわち、隣り合う２つの補強体部５１の間に、編組体５７が配置されており、編組体５７の先端部と先端側の補強体部５１の基端部とが、複数の線状体５４で連結され、同様に、編組体５７の基端部と基端側の補強体部５１の先端部とが、複数の線状体５４で連結されている。
【００８６】
編組体５７は、前述したように、線状体５３を交差させて網状に編んだものである。この編組体５７の網目の軸方向のピッチは、補強体部５１の網目の軸方向のピッチよりも短く設定されている。これにより、編組体５７は、補強体部５１よりも湾曲し易くなり、これによって、湾曲容易部２２１は、さらに容易に湾曲することができる。
【００８７】
なお、図示の構成では、編組体５７の網目のカテーテル本体２の周方向のピッチと、補強体部５１の網目の前記周方向のピッチとは、等しく設定されているが、これに限らず、異なっていてもよい。
このカテーテル１によれば、前述した第５実施形態と同様の効果が得られる。
【００８８】
＜第７実施形態＞
図１１は、本発明のカテーテルの第７実施形態における補強体層の構成を示す側面図である。なお、以下では、図１１中の左側を「先端」、右側を「基端（後端）」、上側を「上」、下側を「下」として説明を行う。
【００８９】
以下、第７実施形態について、前述した第１実施形態との相違点を中心に説明し、同様の事項については、その説明を省略する。
【００９０】
図１１に示すように、第７実施形態のカテーテル１では、複数の連結部５２として、その曲げ剛性が互いに異なる第１の連結体５２１と第２の連結体５２２とを有している。第１の連結体５２１と第２の連結体５２２とは、それぞれ、複数設けられておおり、また、第１の連結体５２１と第２の連結体５２２とは、軸方向に沿って交互に配置されている。これにより、湾曲容易部２２１は、より円滑に湾曲することができ、また、種々の曲がりにも対応することができる。
【００９１】
第１の連結体５２１は、カテーテル本体２の周方向に沿って並設された複数の線状体５４で構成されている。
【００９２】
一方、第２の連結体５２２は、カテーテル本体２の周方向に沿って並設され、第１の連結体５２１の線状体５４よりも多い数の線状体５４で構成されている。これにより、第２の連結体５２２の曲げ剛性が、第１の連結体５２１の曲げ剛性よりも高くなっている。
【００９３】
第１の連結体５２１の線状体５４の数は、特に限定されず、諸条件に応じて適宜決定されるが、１〜２０程度が好ましく、３〜１０程度がより好ましい。
【００９４】
また、第２の連結体５２２の線状体５４の数は、第１の連結体５２１の線状体５４の数よりも多ければ特に限定されず、諸条件に応じて適宜決定されるが、２〜２０程度が好ましく、４〜１０程度がより好ましい。
このカテーテル１によれば、前述した第１実施形態と同様の効果が得られる。
【００９５】
なお、本実施形態では、第１の連結体５２１の線状体５４の数と第２の連結体５２２の線状体５４とを互いに異ならせることで、第１の連結体５２１の曲げ剛性と第２の連結体５２２の曲げ剛性とが互いに異なるようにしているが、本発明では、これに限定されず、例えば、互いの線状体５４自体の曲げ剛性を異ならせてもよい。
【００９６】
また、本実施形態では、第１の連結体５２１および第２の連結体５２２は、それぞれ、複数の直線状の線状体５４で構成されているが、本発明では、これに限定されず、第１の連結体５２１および第２の連結体５２２は、それぞれ、例えば、第２〜第６実施形態における連結部等で構成されていてもよい。
【００９７】
また、本発明では、例えば、第１の連結体５２１と第２の連結体５２２との一方を複数の直線状の線状体５４で構成し、他方が螺旋状の線状体５６で構成する等、第１の連結体５２１と第２の連結体５２２との全体的な構成が異なっていてもよい。
【００９８】
以上、本発明のカテーテルを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００９９】
また、本発明は、前記各実施形態のうちの、任意の２以上の構成（特徴）を組み合わせたものであってもよい。
【０１００】
また、本発明におけるカテーテルの用途は、特に限定されず、例えば、ガイディングカテーテル、造影用カテーテル、ＰＴＣＡ用、ＰＴＡ用、ＩＡＢＰ用等の各種バルーンカテーテル、超音波カテーテル、アテレクトミーカテーテル、内視鏡用カテーテル、留置カテーテル、薬液投与用カテーテル、脳や肝臓等の臓器に導入される塞栓術用カテーテル（マイクロカテーテル）等の種々のカテーテルに適用することができる。
【符号の説明】
【０１０１】
１              カテーテル
２              カテーテル本体
２１            基端
２２            主要部分
２２１          湾曲容易部
２２２          本体部
２３            最先端部
３              ルーメン
４              内層
５              補強体層
５１            補強体部
５２            連結部
５２１          第１の連結体
５２２          第２の連結体
５３〜５６      線状体
５７            編組体
６              外層
７              ハブ
【図１】
2011072562.tif 000003
【図２】
2011072562.tif 000004
【図３】
2011072562.tif 000005
【図４】
2011072562.tif 000006
【図５】
2011072562.tif 000007
【図６】
2011072562.tif 000008
【図７】
2011072562.tif 000009
【図８】
2011072562.tif 000010
【図９】
2011072562.tif 000011
【図１０】
2011072562.tif 000012
【図１１】
2011072562.tif 000013